(57)【要約】【課題】ライナ等の被巻回部材の周囲に繊維束を平滑に巻回できるようにする。【解決手段】繊維給糸口８１を、軸回りに相対回転する被巻回部材２０の軸方向に相対移動させ、繊維給糸口８１から繊維束７０を給糸して被巻回部材２０の周囲に巻回するフィラメントワインディングの際、被巻回部材２０の周囲に既に巻回された繊維束７０を検出し、該検出結果に基づき、当該繊維束７０の次に巻回する繊維束７０の位置を制御する。繊維束７０を検出する繊維束検出部８２は、例えば、既に巻回された繊維束７０を色により識別して検出するもの、あるいは、既に巻回された繊維束７０の側部が形成する段差７０ｇを検出するものである。【選択図】図８
2010253789.tif 000002
【特許請求の範囲】
【請求項１】
繊維給糸口を、軸回りに相対回転する被巻回部材の軸方向に相対移動させ、前記繊維給糸口から繊維束を給糸して前記被巻回部材の周囲に巻回するフィラメントワインディング装置において、
前記被巻回部材の周囲に既に巻回された繊維束を検出する繊維束検出部と、
次に巻回する繊維束の位置を制御する制御部と、
を備えるフィラメントワインディング装置。
【請求項２】
前記繊維束検出部は、既に巻回された前記繊維束を色により識別して検出するものである、請求項１に記載のフィラメントワインディング装置。
【請求項３】
前記繊維束検出部は、既に巻回された前記繊維束の側部が形成する段差を検出するものである、請求項１に記載のフィラメントワインディング装置。
【請求項４】
前記繊維束検出部は、前記繊維給糸口に一体化された撮像装置である、請求項１から３のいずれか一項に記載のフィラメントワインディング装置。
【請求項５】
前記繊維束検出部は、検出方向が可変に設けられた撮像装置である、請求項１から４のいずれか一項に記載のフィラメントワインディング装置。
【請求項６】
繊維給糸口を、軸回りに相対回転する被巻回部材の軸方向に相対移動させ、前記繊維給糸口から繊維束を給糸して前記被巻回部材の周囲に巻回するフィラメントワインディング方法において、
前記被巻回部材の周囲に既に巻回された繊維束を検出し、該検出結果に基づき、当該繊維束の次に巻回する繊維束の位置を制御するフィラメントワインディング方法。
【発明の詳細な説明】
【技術分野】
【０００１】
本発明は、フィラメントワインディング装置およびフィラメントワインディング方法に関する。さらに詳述すると、本発明は、フィラメントワインディング時の繊維巻回手法の改良に関する。
【背景技術】
【０００２】
水素等の貯蔵に利用されるタンクとして、ライナの外周にフープ層とヘリカル層とが交互に積層されたＦＲＰ層を備えるものが利用されている。フープ層は、繊維束（例えば炭素繊維束）がフープ巻（タンク胴体部においてタンク軸にほぼ垂直に巻く巻き方）されて形成された層であり、ヘリカル層は、繊維束がヘリカル巻（タンク軸にほぼ平行であり、タンクドーム部まで巻く巻き方）されて形成された層である（本願の図２参照）。このように繊維束を巻回する際に利用されるフィラメントワインディング装置ないし方法においては、従来、あらかじめ作成したプログラムにしたがった制御（プログラム制御）によって繊維束を巻回することが一般に行われている。
【０００３】
また、フィラメントワインディングの際、ＦＲＰ層の外殻におけるＭ値（繊維方向伸度／繊維直角方向伸度）が２以下であることが必須の条件となる場合がある。このような場合、外殻表面の歪み測定を実施し、これにより、当該Ｍ値の計算に必要なＦＲＰ製外殻の繊維方向および繊維直角方向の破断伸度を求めるという技術が提案されている（特許文献１参照）。
【先行技術文献】
【特許文献】
【０００４】
【特許文献１】特開平８−２１９３９３号公報
【発明の概要】
【発明が解決しようとする課題】
【０００５】
しかしながら、上述のごとき従来技術においては、繊維束の歪みを測定することができるが、対象となる被巻回部材の周囲に当該繊維束を平滑に巻回することができないという点で問題がある。
【０００６】
そこで、本発明は、ライナ等の被巻回部材の周囲に繊維束を平滑に巻回することのできるフィラメントワインディング装置およびフィラメントワインディング方法を提供することを目的とする。
【課題を解決するための手段】
【０００７】
かかる課題を解決するべく本発明者は種々の検討を行った。タンクを成形する際、フープ層あるいはヘリカル層内で繊維束を平滑に巻回することができないと、繊維束どうしの重なりが発生し、あるいは繊維束間に空隙（ボイド）が生じ、同一層内での強度が不均一となることがある。この場合、当該層でのＣＦ（炭素繊維）の強度発現率が低下し、ひいてはタンクの性能が劣化してしまう可能性がある。この点についてさらに検討すると、従来技術においては、あらかじめ決められた経路に繊維束を巻き付けるようにフィラメントワインディング装置のアイ口（繊維給糸口）が動作していることが関与している。特にこの点に着目した本発明者は、かかる課題の解決に結び付く新たな知見を得るに至った。
【０００８】
本発明はかかる知見に基づくもので、繊維給糸口を、軸回りに相対回転する被巻回部材の軸方向に相対移動させ、繊維給糸口から繊維束を給糸して被巻回部材の周囲に巻回するフィラメントワインディング装置において、被巻回部材の周囲に既に巻回された繊維束を検出する繊維束検出部と、次に巻回する繊維束の位置を制御する制御部と、を備えるというものである。
【０００９】
このフィラメントワインディング装置においては、被巻回部材に既に巻回された直近の繊維束の位置を検出し、当該繊維束に隣接させるべき次の繊維束の巻回位置をこの検出結果に基づいて制御することが可能である。したがって、繊維束が重なり合うことによって凹凸が生じたり、繊維束間の隙間が増大して空隙（ボイド）が形成されたりすることを回避し、繊維束を平滑に巻回することができる。
【００１０】
このようなフィラメントワインディング装置における繊維束検出部は、例えば、既に巻回された繊維束を色により識別して検出するものである。あるいは、繊維束検出部は、既に巻回された繊維束の側部が形成する段差を検出するものである。
【００１１】
また、本発明にかかる方法は、繊維給糸口を、軸回りに相対回転する被巻回部材の軸方向に相対移動させ、繊維給糸口から繊維束を給糸して被巻回部材の周囲に巻回するフィラメントワインディング方法において、被巻回部材の周囲に既に巻回された繊維束を検出し、該検出結果に基づき、当該繊維束の次に巻回する繊維束の位置を制御するというものである。
【発明の効果】
【００１２】
本発明によれば、ライナ等の被巻回部材の周囲に繊維束を平滑に巻回することができる。
【図面の簡単な説明】
【００１３】
【図１】本発明の一実施形態における高圧タンクの構造を示す断面図および部分拡大図である。
【図２】本発明の一実施形態における高圧タンクの構造を示す断面図である。
【図３】高圧タンクの口金付近の構造例を示す断面図である。
【図４】平滑ヘリカル層におけるヘリカル巻の一例を示す斜視図である。
【図５】平滑ヘリカル層におけるヘリカル巻の一例を示す、タンク軸方向に沿った投影図である。
【図６】フィラメントワインディング装置のアイ口（繊維給糸口）を使ってライナの外周に繊維を巻き付ける様子を示す図である。
【図７】フープ層を形成する繊維束を巻回する際のフィラメントワインディング装置の平面図である。
【図８】図７に示したフィラメントワインディング装置の側面図である。
【図９】ヘリカル層を形成する繊維束を巻回する際のフィラメントワインディング装置の平面図である。
【図１０】図９に示したフィラメントワインディング装置の側面図である。
【図１１】撮像装置による図８中の破線部分の画像例を示す図である。
【図１２】繊維束の側部に形成される段差を撮像装置によって撮像した際の画像例を示す図である。
【図１３】（Ａ）設計どおり平滑に積層された状態の繊維束、（Ｂ）設計よりも幅が広く一部が重なった状態の繊維束、（Ｃ）設計よりも幅が狭く空隙（ボイド）が生じた状態の繊維束  を示す図である。
【図１４】従来のヘリカル巻の一例を参考として示す斜視図である。
【図１５】従来のヘリカル巻の一例を参考として示す、タンク軸方向に沿った投影図である。
【発明を実施するための形態】
【００１４】
以下、本発明の構成を図面に示す実施の形態の一例に基づいて詳細に説明する。
【００１５】
図１〜図１３に本発明にかかるフィラメントワインディング装置およびフィラメントワインディング方法の実施形態を示す。以下では、燃料電池システム等において利用される水素燃料供給源としての高圧水素タンク（以下、高圧タンクともいう）１を挙げ、当該高圧タンク１をＦＲＰ成形する場合を例示しつつ説明する。
【００１６】
高圧タンク１は、例えば両端が略半球状である円筒形状のタンク本体１０と、当該タンク本体１０の長手方向の一端部に取り付けられた口金１１を有する。なお、本明細書では略半球状部分をドーム部、筒状胴体部分をストレート部といい、それぞれ符号１ｄ，１ｓで表す（図１、図２等参照）。また、本実施形態で示す高圧タンク１は両端に口金１１を有するものであるが、説明の便宜上、当該高圧タンク１の要部を示す図３中のＸ軸の正方向（矢示する方向）を先端側、負方向を基端側として説明を行う。このＸ軸に垂直なＹ軸の正方向（矢示する方向）がタンク外周側を指している。
【００１７】
タンク本体１０は、例えば二層構造の壁層を有し、内壁層であるライナ２０とその外側の外壁層である樹脂繊維層（補強層）としての例えばＦＲＰ層２１を有している。ＦＲＰ層２１は、例えばＣＦＲＰ層２１ｃのみ、あるいは該ＣＦＲＰ層２１ｃおよびＧＦＲＰ層２１ｇによって形成されている（図１参照）。
【００１８】
ライナ２０は、タンク本体１０とほぼ同じ形状に形成される。ライナ２０は、例えばポリエチレン樹脂、ポリプロピレン樹脂、またはその他の硬質樹脂などにより形成されている。あるいは、ライナ２０はアルミニウムなどで形成された金属ライナであってもよい。
【００１９】
ライナ２０の口金１１のある先端側には、内側に屈曲した折返し部３０が形成されている。折返し部３０は、外側のＦＲＰ層２１から離間するようにタンク本体１０の内側に向けて折り返されている。
【００２０】
口金１１は、略円筒形状を有し、ライナ２０の開口部に嵌入されている。口金１１は、例えばアルミニウム又はアルミニウム合金からなり、例えばダイキャスト法等により所定の形状に製造されている。口金１１は射出成形された分割ライナに嵌め込まれている。口金１１は例えばインサート成形によりライナ２０に取り付けられてもよい。口金１１にはバルブアッセンブリ５０が設けられる（図２参照）。
【００２１】
また、口金１１は、例えば先端側（高圧タンク１の軸方向の外側）にバルブ締結座面１１ａが形成され、そのバルブ締結座面１１ａの後方側（高圧タンク１の軸方向の内側）に、高圧タンク１の軸に対して環状の凹み部１１ｂが形成されている。凹み部１１ｂは、軸側に凸に湾曲しＲ形状になっている。この凹み部１１ｂには、同じくＲ形状のＦＲＰ層２１の先端部付近が気密に接触している。
【００２２】
例えばＦＲＰ層２１と接触する凹み部１１ｂの表面には、例えばフッ素系の樹脂などの固体潤滑コーティングＣが施されている。これにより、ＦＲＰ層２１と凹み部１１ｂとの間の摩擦係数が低減されている。
【００２３】
口金１１の凹み部１１ｂのさらに後方側は、例えばライナ２０の折返し部３０の形状に適合するように形成され、例えば凹み部１１ｂに連続して径の大きい鍔部（ツバ部）１１ｃが形成され、その鍔部１１ｃから後方に一定径の口金円筒部１１ｄが形成されている。
【００２４】
ＦＲＰ層２１は、例えばフィラメントワインディング成形（ＦＷ成形）により、ライナ２０の外周面と口金１１の凹み部１１ｂに、樹脂を含浸した繊維（補強繊維）７０を巻き付け、当該樹脂を硬化させることにより形成されている。ＦＲＰ層２１の樹脂には、例えばエポキシ樹脂、変性エポキシ樹脂、不飽和ポリエステル樹脂等が用いられる。また、繊維７０としては、炭素繊維（ＣＦ）、金属繊維などが用いられる。フィラメントワインディング成形の際には、タンク軸を中心としてライナ２０を回転させながら繊維７０のガイドをタンク軸方向に沿って動かすことにより当該ライナ２０の外周面に繊維７０を巻き付けることができる。なお、実際には複数本の繊維７０が束ねられた繊維束がライナ２０に巻き付けられることが一般的であるが、本明細書では繊維束である場合を含めて単に繊維と呼ぶ。
【００２５】
次に、タンク１における繊維（例えば炭素繊維ＣＦ）７０の構造的曲げを低減するための繊維巻きパターンについて説明しておく（図２等参照）。
【００２６】
上述したように、タンク１は、ライナ２０の外周に繊維（例えば炭素繊維）７０を巻き付け、樹脂を硬化させることにより形成されている。ここで、繊維７０の巻き付けにはフープ巻とヘリカル巻があり、樹脂がフープ巻された層によってフープ層（図２において符号７０Ｐで示す）が、ヘリカル巻された層によってヘリカル層（図４、図５において符号７０Ｈで示す）がそれぞれ形成される。前者のフープ巻は、タンク１のストレート部（タンク胴体部分）に繊維７０をコイルスプリングのように巻くことによって当該部分を巻き締め、気体圧によりＹ軸正方向へ向かう力（径方向外側へ拡がろうとする力）に対抗するための力をライナ２０に作用させるものである。一方、後者のヘリカル巻はドーム部を巻き締め方向（タンク軸方向の内側向き）に巻き締めることを主目的とした巻き方であり、当該ドーム部に引っ掛かるようにして繊維７０をタンク１に対し全体的に巻き付けることにより、主として当該ドーム部の強度向上に寄与する。なお、コイルスプリングのように巻かれた繊維７０の弦巻（つるまき）線（ネジにおけるネジ山の線）と、当該タンク１の中心線（タンク軸１２）とのなす角度（のうちの鋭角のほう）が、図２において符号αで示す、本明細書でいう繊維７０の「タンク軸（１２）に対する巻角度」である（図２参照）。
【００２７】
これら種々の巻き付け方のうち、フープ巻は、ストレート部において繊維７０をタンク軸にほぼ垂直に巻くものであり、その際の具体的な巻角度は例えば８０〜９０°である（図２参照）。ヘリカル巻（または、インプレ巻）は、ドーム部にも繊維７０を巻き付ける巻き方であり、タンク軸に対する巻角度がフープ巻の場合よりも小さい（図２参照）。ヘリカル巻を大きく２つに分ければ高角度ヘリカル巻と低角度ヘリカル巻の２種類があり、そのうち高角度ヘリカル巻はタンク軸に対する巻角度が比較的大きいもので、その巻角度の具体例は７０〜８０°である。一方、低角度ヘリカル巻は、タンク軸に対する巻角度が比較的小さいもので、その巻角度の具体例は５〜３０°である。なお、本明細書においては、これらの間となる３０〜７０°の巻角度でのヘリカル巻を中角度ヘリカル巻と呼ぶ。さらに、高角度ヘリカル巻、中角度ヘリカル巻、低角度ヘリカル巻により形成されるヘリカル層をそれぞれ高ヘリカル層（符号７０ＨＨで示す）、中ヘリカル層、低ヘリカル層（符号７０ＬＨで示す）と呼ぶ。また、高角度ヘリカル巻のドーム部１ｄにおけるタンク軸方向の折り返し部分を折返し部と呼ぶ（図２参照）。
【００２８】
続いて、繊維７０を巻くためのフィラメントワインディング（ＦＷ）装置について説明する（図６、図８参照）。図６、図８に示すフィラメントワインディング装置８０は、タンク軸を中心としてライナ２０を回転させながら、繊維７０の繊維給糸口（以下、「アイ口」という）８１をタンク軸方向に沿って往復動させることにより当該ライナ２０の外周に繊維７０を巻き付けるものである。ライナ２０の回転数に対するアイ口８１の動きの相対速度を変化させることによって繊維７０の巻角度を変えることができる。
【００２９】
フィラメントワインディング装置８０には、ライナ２０の周囲に既に巻回された繊維７０を検出し、当該検出結果をフィードバックして、次に巻回する繊維７０の位置を制御するための機能が備え付けられていることが好ましい。一般に、フィラメントワインディング装置８０は、繊維７０をその表面が平滑となるよう巻回し、フープ層（あるいはヘリカル層）が平滑な状態で積層されるように設定されている（図１３（Ａ）参照）。しかし、設定とは異なる場合、例えば繊維７０の実際の幅が設定よりも広くなっているような場合、繊維７０の一部が隣の繊維７０に重なった状態で巻回されてしまい、表面に凹凸が生じることがある（図１３（Ｂ）参照）。また、これとは逆に繊維７０の実際の幅が設定よりも狭くなっている場合には、繊維７０間に隙間が生じて空隙（ボイド）が形成されることがある（図１３（Ｃ）参照）。この点、上述のような繊維７０を検出する機能、検出結果をフィードバックする機能を備えたフィラメントワインディング装置８０においては、実際の繊維幅が設定値と異なっている場合に適宜対応して凹凸や空隙（ボイド）を抑制することが可能である。例えば本実施形態のフィラメントワインディング装置８０は、ライナ２０に既に巻回された直近の繊維７０を検出する繊維（束）検出部としての撮像装置８２と、次に巻回する繊維７０の位置などを制御する制御装置（制御部）８３とを備えている（図７等参照）。
【００３０】
撮像装置８２は、既に巻回された直近の繊維７０を撮像して位置を検出するためのカメラやモニタ等の装置からなる。例えば本実施形態では撮像装置８２としてＣＣＤカメラを用い、ライナ２０の外周にて繊維７０が新たに巻き付けられる部分を含む領域を撮像してモニタリングする（なお、図７等では撮像領域を楕円等で示している）。本実施形態の場合、撮像装置８２による画像は、繊維７０が既に巻回されている部分は黒色で表示され、繊維７０がまだ巻回されていないライナ２０の表面はライナ表面の色（例えば白色）で表示されたものとなる（図１１参照）。このように、新たに巻き付けられる部分のモニタ画像を利用すれば、繊維７０の幅に広狭がある場合にも、ライナ２０の周回毎に直近の繊維７０の位置をフィードバックして次の繊維７０を隣接させることが可能となる。なお、繊維７０の色は特に黒色に限定されることはなく、ライナ表面の色と識別しうる種々の色を採用することができる。また、必要に応じて繊維７０の色を途中で変えることも好ましい。こうした場合、２層目以降の繊維７０の色と、既に巻回されている繊維７０の色とを識別することができる。また、フープ層７０Ｐとヘリカル層７０Ｈとで繊維７０の色を変えるということもできる。
【００３１】
撮像装置８２は、向きあるいは検出位置が可変であることが好ましい。ライナ２０の外周に繊維７０を巻回するにつれて巻回位置が変わり、また、アイ口８１から給糸される繊維７０の当該アイ口８１に対する角度も変わる。これに対しては、撮像装置８２の向きと検出位置の一方または両方を適宜変えることによって、ライナ２０に既に巻回された直近の繊維７０をより正確に検出することが可能である。例えば本実施形態では、撮像装置８２をアイ口８１に一体化し、撮像装置８２が当該アイ口８１とともにタンク軸方向に移動する構成としている（図７、図８等参照）。このようなフィラメントワインディング装置８０によれば、ライナ２０の外周に巻回された直近の繊維７０の近傍を撮像しやすい（図７、図８参照）。しかも、アイ口８１をタンク軸方向に移動させるための機構やアクチュエータを利用することができるので有利である。
【００３２】
さらに、本実施形態の撮像装置８２は、図８等において符号８０ｘで示す軸（繊維７０の供給方向に沿った前後軸）を中心として回動可能に設けられている。また、この場合に、撮像装置８２が例えば棒状の支持部材８４を介してアイ口８１に支持されていることも好ましい。当該支持部材８４を倒すように撮像装置８２を回動させれば、当該支持部材８４を利用して撮像装置８２をドーム部１寄りに位置させることができる（図９、図１０参照）。
【００３３】
加えて、本実施形態の撮像装置８２は、撮像エリア（センサ測定領域）を適宜変えることができるよう、その向きが可変となるように構成されている。例えば、上述した支持部材８４に対して、当該支持部材８４の長手方向軸を中心に回動可能に設けられた撮像装置８２は、ヘリカル巻の際にドーム部１ｄに巻回されている繊維７０やその近傍を向いて撮像することが可能である（図９、図１０参照）。さらに、撮像装置８２が、上下方向の向きを変えるように回動可能に構成されていることも好ましい（図８等参照）。特に図示していないが、このほか、支持部材８４を伸縮させて撮像装置８２の高さ等を変化させうるようにしてもよい。上述のように角度を変えるための機構は、例えば軸受やサーボモータ等を利用して構成することができる。
【００３４】
この撮像装置８２によれば、繊維７０が既に巻回されている部分が黒色で表示され、繊維７０がまだ巻回されていないライナ２０の表面がライナ表面色（例えば白色）で表示された画像を撮像することによって直近の繊維７０の位置を制御装置８３にフィードバックすることができるが（図１１参照）、このほか、繊維７０の側部に形成される段差７０ｇを検出してフィードバックすることもできる。すなわち、繊維７０が既に巻かれた部分がそうでない部分との段差７０ｇを撮像し、当該段差７０ｇの位置に基づいて直近の繊維７０の位置を制御装置８３にフィードバックすることもできる（図１２参照）。この場合、新たに巻回する繊維７０を、段差７０ｇを形成している直近の繊維７０の側部に隣接させるように制御することによって当該繊維７０の重なりや空隙（ボイド）が生じるのを抑制することができる。このように繊維７０の段差７０ｇを検出する場合、撮像装置８２は、ライナ２０の外周を接線方向から撮像する位置に配置されることが好ましい（図８参照）。
【００３５】
以上説明した本実施形態のフィラメントワインディング装置８０によれば、撮像装置（繊維束検出部）８２を利用し、ライナ２０の周回毎に直近の繊維７０の位置をフィードバックすることによって、次に巻回する新しい繊維７０を既に巻回されている繊維７０に隣接させながら隙間なく巻回することができる。したがって、繊維束が重なり合うことによって凹凸が生じたり、繊維間の隙間が増大して空隙（ボイド）が形成されたりすることを回避し、繊維７０を平滑に巻回することができる。
【００３６】
しかも、フィラメントワインディング時、繊維７０を常時モニタリングし、検出結果を順次フィードバックして必要な補正ができるようにした本実施形態のフィラメントワインディング装置８０によれば、繊維７０の幅に広狭にかかわらず当該繊維７０を隙間なく平滑に巻回することが可能である。したがって、このフィラメントワインディング装置８０を用いた場合にはプログラム制御用のプログラムが不要であり、繊維幅を計算してあらかじめプログラムを作成するといった従前の手間を省略することができるという利点もある。
【００３７】
また、以上のように各繊維７０を平滑に巻回することにより、タンク強度を向上させることもできる。すなわち、ヘリカル層７０Ｈ、フープ層７０Ｐとも、内側に位置する層（ライナ２０寄りの層）ほどタンク強度への寄与度が大きく、特に、ストレート部１ｓを巻き締めて耐圧力を十分に作用させるという点において最内層のフープ層７０Ｐの役割が大きい。この点、より内側のヘリカル層７０Ｈを平滑なヘリカル層とすることにより、該平滑ヘリカル層７０Ｈの外側に隣接するフープ層７０Ｐをも平滑に形成することが可能となり、当該フープ層７０Ｐをタンク強度の向上に大きく寄与させることができる。
【００３８】
なお、上述の実施形態は本発明の好適な実施の一例ではあるがこれに限定されるものではなく本発明の要旨を逸脱しない範囲において種々変形実施可能である。例えば上述した各実施形態では、撮像装置８２の好ましい設置形態の一例としてアイ口８１と一体化した場合を例示したが、特にこのような形態に限られることはなく、アイ口８１とは別体とした構成としてもよい（図８参照）。特に図示していないが、こうした場合、アイ口８１をタンク軸方向に移動させるための機構やアクチュエータ等とは別の装置を利用し、撮像装置８２を当該アイ口８１の動きから独立して移動させることができる。
【００３９】
また、上述した実施形態では撮像装置８２の具体例としてＣＣＤカメラを示したが、これも好適な一例にすぎない。撮像装置８２は、既に繊維７０が巻回された部分とこれから繊維７０が巻回される部分とを区別するに足る画像が得られるものであればよく、したがってＣＣＤカメラ以外のカメラやモニタ等を用いることも当然に可能である。
【００４０】
また、上述した実施形態では撮像装置８２が単一である場合を例示して説明したが、もちろん、一つのフィラメントワインディング装置８０において複数の撮像装置８２を用いるようにしてもよい。こうした場合には、ある撮像装置８２によって繊維７０の色とライナ表面の色の違いに基づくデータを検出し、別の撮像装置８２によって繊維７０間の段差７０ｇに基づくデータを検出することも可能である。
【００４１】
また、ここまでの実施形態では、燃料電池システム等において利用可能な水素タンクに本発明を適用した場合を例示して説明したが、水素ガス以外の流体を充填するためのタンクに本発明を適用することももちろん可能である。
【００４２】
さらに、本発明を、タンク（圧力容器）以外の物、例えば、ＦＲＰ層を有する長尺物や構造物などの筒体（筒状の部分を含む）に適用することも可能である。一例を挙げれば、心棒（例えばマンドレルのようなもの）や型の外側にヘリカル巻やフープ巻によって繊維７０を巻き付け、ヘリカル層７０Ｈやフープ層７０Ｐを有するＦＲＰ層２１を形成する場合に、平滑ヘリカル層７０Ｈを形成することとすれば、繊維７０の構造的曲げを低減させる、疲労強度を向上させる、１層あたりの厚みを薄くする、といった、上述した実施形態におけるのと同様の作用効果を実現することが可能となる。筒体の具体例としては、ゴルフクラブのシャフトやカーボンバットといった運動用具、釣竿等のレジャー用具、さらにはプラント設備等のエンジニアリング製品、建築資材などの構造物といったものを挙げることができる。
【産業上の利用可能性】
【００４３】
本発明は、ＦＲＰ層を有するタンク、さらには長尺物や構造物などの筒体に適用して好適なものである。
【符号の説明】
【００４４】
２０…ライナ（被巻回部材）、７０…繊維（繊維束）、７０ｇ…段差、８０…フィラメントワインディング装置、８１…アイ口（繊維給糸口）、８２…撮像装置（繊維束検出部）、８３…制御装置（制御部）
【図１】
2010253789.tif 000003
【図２】
2010253789.tif 000004
【図３】
2010253789.tif 000005
【図４】
2010253789.tif 000006
【図５】
2010253789.tif 000007
【図６】
2010253789.tif 000008
【図７】
2010253789.tif 000009
【図８】
2010253789.tif 000010
【図９】
2010253789.tif 000011
【図１０】
2010253789.tif 000012
【図１１】
2010253789.tif 000013
【図１２】
2010253789.tif 000014
【図１３】
2010253789.tif 000015
【図１４】
2010253789.tif 000016
【図１５】
2010253789.tif 000017